(57)【特許請求の範囲】
【請求項１】
内視鏡光源装置との接続用に内視鏡に設けられたコネクタを形式の異なる光源出力口へ接続するための内視鏡光源装置用アダプタにおいて、
上記内視鏡光源装置に接続される光源コネクタと、
複数種の上記コネクタが個々に適合する、形式が異なる複数の接続口と、
を有することを特徴とする内視鏡光源装置用アダプタ。
【請求項２】
内視鏡光源装置との接続用に内視鏡に設けられたコネクタを形状の異なる光源出力口へ接続するための内視鏡光源装置用アダプタにおいて、
上記内視鏡光源装置に接続される光源コネクタと、
複数種の上記コネクタが個々に適合する、形式が異なる複数の接続口を有する移動自在な部材と、
上記移動部材を移動させることにより上記内視鏡光源装置の光源出力口に合う接続口をその光源出力口に合わせる位置決め機構と、
を有することを特徴とする内視鏡光源装置用アダプタ。
【請求項３】
内視鏡光源装置との接続用に内視鏡に設けられたコネクタを形式の異なる光源出力口へ接続するための内視鏡光源装置用アダプタにおいて、
上記内視鏡光源装置に接続される光源コネクタと、
上記光源コネクタと接続されるアダプタ本体部と、
上記アダプタ本体部に取着され、複数種の上記コネクタが個々に適合する、形式が異なる複数の接続口を有した移動自在な部材と、
上記移動部材を移動させることにより上記内視鏡光源装置の光源出力口に合う接続口をその光源出力口に合わせる位置決め機構と、
上記アダプタ本体部の動きを規制するために上記内視鏡光源装置の筐体に係合する位置規制部材と、
を有することを特徴とする内視鏡光源装置用アダプタ。
【発明の詳細な説明】
【０００１】
【発明の属する技術分野】
本発明は、内視鏡光源装置に内視鏡を接続する際に使用する内視鏡光源装置用アダプタに関する。
【０００２】
【従来の技術】
各種の内視鏡におけるライトガイドコネクタは製品によって異なる形式となっている。使用しようとする内視鏡におけるライトガイドコネクタに適合できない出力コネクタを備えた内視鏡光源装置は直接に使用できない。このような場合、一般的には内視鏡光源装置に対応したアダプタを用いて、形式の異なる内視鏡光源装置の出力コネクタに接続することが行われている。
【０００３】
しかし、アダプタの種類が多くなる程、そのアダプタ等の管理が大変になると共に使い勝手が悪くなる。
【０００４】
そこで、ＵＳＰ第４，０２５，７７６号では、多種にわたるライトガイドコネクタに対応するため、内視鏡光源装置の光源出力コネクタには複数の接続孔を有した回転式のものが採用されている。
【０００５】
【発明が解決しようとする課題】
前者のように、ライトガイドコネクタへ、光源装置の光源出力コネクタ形状に合致するアダプタを装着した後に光源装置へ接続する方式では、内視鏡の種類が増え、それに伴い対応すべきライトガイドコネクタの種類が増えた場合は、所有すべきアダプタ数量が増えることにより管理することが煩わしくなると共に使い勝手が悪くなる。
【０００６】
また、後者のように、多種類にわたるライトガイドコネクタに対応するために、上記のような回転式の光源出力コネクタの構造をとると、光源出力コネクタと光源装置内の光源との光軸の精度を確保することが難しく、結果的に内視鏡先端からの出射光量の減少につながる。
【０００７】
本発明は上記事情を考慮し、ライトガイドコネクタの形状が光源装置の光源出力コネクタと合致する内視鏡を組み合わせる場合に光量の減少を防ぐと共に、多種にわたるライトガイドコネクタに煩わしさを最小限に抑えながら対応することが出来るライトガイドコネクタの接続方式を提供することを目的にしている。
【０００８】
【課題を解決するための手段】
請求項１に係る発明は、内視鏡光源装置との接続用に内視鏡に設けられたコネクタを形式の異なる光源出力口へ接続するための内視鏡光源装置用アダプタにおいて、上記内視鏡光源装置に接続される光源コネクタと、複数種の上記コネクタが個々に適合する、形式が異なる複数の接続口と、を有することを特徴とする内視鏡光源装置用アダプタである。
【０００９】
請求項２に係る発明は、内視鏡光源装置との接続用に内視鏡に設けられたコネクタを形状の異なる光源出力口へ接続するための内視鏡光源装置用アダプタにおいて、上記内視鏡光源装置に接続される光源コネクタと、複数種の上記コネクタが個々に適合する、形式が異なる複数の接続口を有する移動自在な部材と、上記移動部材を移動させることにより上記内視鏡光源装置の光源出力口に合う接続口をその光源出力口に合わせる位置決め機構と、を有することを特徴とする内視鏡光源装置用アダプタである。
【００１０】
請求項３に係る発明は、内視鏡光源装置との接続用に内視鏡に設けられたコネクタを形式の異なる光源出力口へ接続するための内視鏡光源装置用アダプタにおいて、上記内視鏡光源装置に接続される光源コネクタと、上記光源コネクタと接続されるアダプタ本体部と、上記アダプタ本体部に取着され、複数種の上記コネクタが個々に適合する、形式が異なる複数の接続口を有した移動自在な部材と、上記移動部材を移動させることにより上記内視鏡光源装置の光源出力口に合う接続口をその光源出力口に合わせる位置決め機構と、上記アダプタ本体部の動きを規制するために上記内視鏡光源装置の筐体に係合する位置規制部材と、を有することを特徴とする内視鏡光源装置用アダプタである。
【００１１】
ライトガイドコネクタの形状が光源装置の光源出力口と合致する内視鏡のライトガイドコネクタを組み合わせる場合は、光源装置の光源出力口にライトガイドコネクタをそのまま接続することにより光量の低下を防ぐことが可能となるものである。内視鏡光源装置用アダプタ自体に複数種のコネクタが個々に適合するように形式が異なる複数の接続口を有するため、多種にわたるライトガイドコネクタに煩わしさを最小限に抑えながら対応することが出来る。
【００１２】
【発明の実施の形態】
（第１実施形態）
図１乃至図５を参照して本発明の第１実施形態に係る内視鏡光源装置用アダプタについて説明する。
【００１３】
図１は内視鏡システムを概略的に示す斜視図である。この内視鏡システムは例えば体腔内の観察および処置を行う医療用のものであり、内視鏡１と、この内視鏡１に照明光を供給する光源装置２を備える。内視鏡１は挿入部５と操作部６とユニバーサルコード７を有し、挿入部５と操作部６とユニバーサルコード７にわたり照明光学系であるライトガイド（不図示）が挿通されている。操作部６から延出するユニバーサルコード７の延出先端にはライトガイドコネクタ８が設けられている。
【００１４】
上記光源装置２の筐体（本体ケース）１０の前面壁には上記ライトガイドコネクタ８を着脱自在に接続する光源光出射口（光源出力口）である出力コネクタ１１と、電源スイッチ１２と、図示しないが、その他の操作手段や表示部等が配置されるパネル１３が設けられている。
【００１５】
図２は従来のアダプタ形式のものであって、各種の製品におけるライトガイドコネクタ８ａ〜８ｄの形態と、この複数種のライトガイドコネクタ８ａ〜８ｄのそれぞれに対応した個別形式のアダプタ１３ａ〜１３ｄであり、関連するものを左右に並べて示す。従来は各ライトガイドコネクタ８ａ〜８ｄの形態のものにそれぞれ対応した個別形式のアダプタ１３ａ〜１３ｄが用意されていた。
【００１６】
図３は第１実施形態に係る内視鏡光源装置用アダプタ１５を正面から見た図であり、図４は第１実施形態に係る内視鏡光源装置用アダプタ１５を側面から見た図である。図５はそのアダプタ１５を上記光源装置２の筐体１０に実際の組み合わせた状態の正面図である。
【００１７】
ここでの内視鏡光源装置用アダプタ１５は図２で示したような複数種のライトガイドコネクタ８を選択的に接続可能なものである。アダプタ１５の本体２１は円柱状の部材によって構成されると共に、移動部材としてのターレット２２を回転自在に支える軸受２３を構成する。ターレット２２は本体２１と同径の円柱状部材によって形成され、各円柱状の部材は同軸的に配置される。ターレット２２は軸ピン２４によって本体２１に軸支されている。
【００１８】
アダプタ１５の本体２１における裏面には上記光源装置２の出力コネクタ１１に差し込んで接続される光源コネクタ２６が固定的に設けられている。光源コネクタ２６には光源装置２からの出射光を受けて導光するロッド棒２７が内蔵されている。棒状の光源コネクタ２６の中途部外周には係着用リング２８が嵌着されている。この係着用リング２８は光源装置２の出力コネクタ１１に光源コネクタ２６を差し込んだとき、両者の摩擦力で係着し、または光源装置２の出力コネクタ１１に設けた図示しない係合受部に係着し、光源コネクタ２６を保持する。光源コネクタ２６は本体２１の中心軸から偏心し、その中心軸に平行な位置に配置されている。
【００１９】
ターレット２２には本体２１の中心軸を中心として光源コネクタ２６の中心位置を通る円周上に配置される複数種のライトガイド嵌合穴（接続口）３１，３２，３３が設けられている。各ライトガイド嵌合穴３１，３２，３３は図２で示したような種類のアダプタ１３ａ〜１３ｄの接続口を構成している。また、各ライトガイド嵌合穴３１，３２，３３はターレット２２を回転することにより、上記光源コネクタ２６の中心に合わせて位置決めすることができる。ライトガイド嵌合穴３１，３２，３３のいずれかのうち使用しようとするものを上記光源コネクタ２６の中心位置に合わせたところで停止する。この選んだ位置にターレット２２を保持する、例えば、ねじ締め手段やクリック止め手段等による位置決め固定手段を設けても良い。
【００２０】
ここで、各ライトガイド嵌合穴３１，３２，３３は、異なる形式のライトガイドコネクタ８の個々のものが、いずれかのものに接続可能なものであり、各ライトガイド嵌合穴３１，３２，３３には選ばれた特定の内視鏡のライトガイドコネクタ８が接続可能である。
【００２１】
上記アダプタ１５の本体２１にはこれ自身の回転を防ぐための回転止め手段が設けられている。この回転止め手段は光源装置２の筐体１０に係止してアダプタ１５の回転を防ぐ。
【００２２】
すなわち、本体２１の背面には一対の帯状の係止片３５，３６が上下方向へスライド自在に取着されている。図４で示すように、係止片３５，３６の基端部分は重ね合わされた状態で配置されている。
【００２３】
一方の係止片３５は上方へ延び、この延出端部は後方へ屈曲して光源装置２の筐体１０の上面に接合する屈曲部３７が形成されている。他方の係止片３６は下方へ延び、この延出端は後方へ屈曲して光源装置２の筐体１０の下面に接合する屈曲部３８が形成されている。係止片３５，３６は上下方向へスライド自在であるが、アダプタ１５の本体２１に対して回転しないように取り付けられている。つまり、係止片３５，３６はアダプタ１５の本体２１の動きを規制する位置規制部材を構成する。
【００２４】
係止片３５，３６は上下方向へスライド自在であり、その長さが調節自在であると共に、例えば機械的な摩擦力で調節した位置に保持できるが、ビス等で係止片３５，３６を調節した位置に固定するようにしても良い。
【００２５】
次に、内視鏡光源装置用アダプタ１５を使用する場合の作用を説明する。まず、アダプタ１５の光源コネクタ２６を、光源装置２の出力コネクタ１１に挿入する。この後、回転止め手段の係止片３５，３６を上下方向へスライドして光源装置２の筐体１０の上面及び下面に合うようにその長さを調節し、上方へ延びる係止片３５の屈曲部３７を光源装置２の筐体１０の上面に接合させ、また、下方へ延びる係止片３６の屈曲部３８を光源装置２の筐体１０の下面に接合させる。これによりターレット２２を回転させた時のアダプタ１５の回転を防ぐという位置規制が出来る。
【００２６】
その後、ライトガイド嵌合穴３１，３２，３３から使用する内視鏡１のライトガイドコネクタ８を挿入できる形式のものを一つ選択し、そのライトガイド嵌合穴３１，３２，３３の一つが、出力コネクタ１１上に一直線上に並ぶ位置までターレット２２を回転させる位置決め操作を行う。この位置決め操作により選択した嵌合穴３１，３２，３３の一つと出力コネクタ１１がロッド棒２７を介在して光学的に結ばれ、選択した嵌合穴３１，３２，３３の一つに、内視鏡１のライドガイドコネクタ８を差し込み挿入することにより、光源装置２からの出射光はライトガイドコネクタ８を通して内視鏡１のライトガイドに導き入れられ、先端部から出射される。
【００２７】
（第２実施形態）
図６乃至図９を参照して本発明の第２実施形態に係る内視鏡光源装置用アダプタについて説明する。
【００２８】
本実施形態での内視鏡光源装置用アダプタ１５はこれを装着する光源装置２の筐体１０における凸部、例えば図９で示す電源スイッチ１２を囲む突堤４１に突き当てる平面または直線状のストッパ４２を設け、この位置規制部材によって回転止め機能を有する手段を構成したものである。ストッパ４２は図８で示すように本体２１の背面に接合してビス４３によって止められた板部材４４の一片の端によって形成されている。その他の構成は前述した第１実施形態のものと同様である。
【００２９】
次に、内視鏡光源装置用アダプタ１５を使用する場合、アダプタ１５の光源コネクタ２６を、光源装置２の出力コネクタ１１に挿入する際、図９で示す電源スイッチ１２を囲む突堤４１にストッパ４２を突き当てるようにしながら装着する。
【００３０】
すると、突堤４１とストッパ４２が係合し、これによりターレット２２を回転させた時のアダプタ１５の回転を防ぐことが出来る。その後、上記第１実施形態と同様にアダプタ１５を使用することができる。
【００３１】
尚、ターレット２２を備えたアダプタ１５の回転を防ぐ回転止め手段は光源装置の形状に合わせて突き当てたり係止したりするなどの他の構造を採っても良い。
【００３２】
（第３実施形態）
図１０を参照して本発明の第３実施形態に係る内視鏡光源装置用アダプタについて説明する。
【００３３】
本実施形態は内視鏡光源装置用アダプタ１５の本体２１に設ける移動部材として横方向へスライド自在なステージ５１としたものであり、ステージ５１上には異なる形式のライトガイド嵌合穴３１，３２，３３をスライド方向の一直線上に一列に並べて設けたものである。本体２１には、ステージ５１をスライドさせたとき、ライトガイド嵌合穴３１，３２，３３が位置する直線上に対応位置して光源装置２の出力コネクタ１１に差し込んで接続される光源コネクタ２６が固定的に設けられている。その他の構成は前述した第１実施形態のものと同様である。
【００３４】
この方式であると、嵌合穴３１，３２，３３の選択時に、アダプタ１５には回転力が生じないため、回転止め手段を設ける必要がなくなる。
【００３５】
本発明は前述した実施形態のものに限定されない。上記各実施形態の説明によれば少なくとも以下に列記する事項及びその任意の組み合わせの事項のものが得られる。
【００３６】
【発明の効果】
以上説明したように本発明によれば、ライトガイドコネクタの形状が光源装置の光源出力口と合致する内視鏡のライトガイドコネクタを組み合わせる場合は光源装置の光源出力口にライトガイドコネクタをそのまま接続できるため、軸ずれによる光量の減少を避けることが出来る。
また、光源装置の光源出力口と異なる形状のライトガイドコネクタを持つ内視鏡と光源装置を接続する場合も、本アダプタ１つを所有することにより複数種の内視鏡に対応できるため、複数のアダプタを管理する必要がなく煩わしさが低減する。
さらに、接続方法に関しても接続口を選択するという動作を除いては、今までと同様の操作で接続できるため、ユーザーは違和感なく使用することが可能である。
【図面の簡単な説明】
【図１】本発明の第１実施形態に係る内視鏡システムを概略的に示す斜視図である。
【図２】各種の内視鏡製品におけるライトガイドコネクタの形態と、この複数種のライトガイドコネクタのそれぞれに対応した個別形式のアダプタであり、関連するものを左右に並べて示す説明図である。
【図３】本発明の第１実施形態に係る内視鏡光源装置用アダプタの正面図である。
【図４】本発明の第１実施形態に係る内視鏡光源装置用アダプタの側面図である。
【図５】上記内視鏡光源装置用アダプタを上記光源装置の筐体に実際に組み合わせた状態の正面図である。
【図６】本発明の第２実施形態に係る内視鏡光源装置用アダプタの正面図である。
【図７】本発明の第２実施形態に係る内視鏡光源装置用アダプタの側面図である。
【図８】本発明の第２実施形態に係る内視鏡光源装置用アダプタの背面図である。
【図９】上記内視鏡光源装置用アダプタを上記光源装置の筐体に実際の組み合わせた状態の正面図である。
【図１０】本発明の第３実施形態に係る内視鏡光源装置用アダプタの正面図である。
【符号の説明】
１…内視鏡、２…光源装置、８…ライトガイドコネクタ、
１０…光源装置の筐体、１５…内視鏡光源装置用アダプタ、
２１…アダプタの本体、２２…アダプタのターレット、
２６…光源コネクタ、３１，３２，３３…ライトガイド嵌合穴（接続口）。
【図１】
0003631402.tif 000002
【図２】
0003631402.tif 000003
【図３】
0003631402.tif 000004
【図４】
0003631402.tif 000005
【図５】
0003631402.tif 000006
【図６】
0003631402.tif 000007
【図７】
0003631402.tif 000008
【図８】
0003631402.tif 000009
【図９】
0003631402.tif 000010
【図１０】
0003631402.tif 000011